(57)【要約】      （修正有）【課題】使用者が化粧液を含んだマスクを容易に使用でき、且つ製品コストを低減できるマスクの包装用物品を提供する。【解決手段】包装用物品は、２つの液体不透過性シートが互いに重ねられて形成されている。液体不透過性シートの少なくとも一方の接合される側の面の少なくとも端縁４は、ポリオレフィン重合体シートによって覆われており、ポリオレフィン重合体シート上にはポリオレフィン重合体の繊維から成るシートが重ねられている。マスク１０がパッケージ内に収納された状態において、ストラップ１４は液体不透過性シートのポリオレフィン重合体シートが配置された部分を通じてパッケージの外側に突出しており、マスク本体１２のみが化粧液を含んでいる。【選択図】図２
0003191378.tif 000002
【実用新案登録請求の範囲】
【請求項１】
２つの液体不透過性シートが互いに重ねられて、且つ該液体不透過性シートの重ねられた端縁の全周が接合されることによって、その内部に収納空間を含むように密封して形成された包装用物品であって、
前記液体不透過性シートの少なくとも一方の、接合される側の面の少なくとも前記端縁は、ポリオレフィン重合体シートによって覆われており、該ポリオレフィン重合体シート上にはポリオレフィン重合体の繊維から成るシートが重ねられていることを特徴とする包装用物品。
【請求項２】
前記ポリオレフィン重合体シートおよびポリオレフィン重合体の繊維から成るシートは帯状とされ、前記液体不透過性シートの対向した個々の側部の端縁に配置されていることを特徴とする請求項１に記載の包装用物品。
【請求項３】
前記ポリオレフィン重合体シートはポリオレフィン重合体の繊維から成ることを特徴とする請求項１または２に記載の包装用物品。
【請求項４】
請求項１〜３のいずれか一項に記載の包装用物品の前記収納空間内に、化粧液を含んだマスクを収納した化粧用マスクパッケージであって、
前記マスクはマスク本体と、使用時に使用者の耳にフックするためのストラップと、から成り、
前記マスクがパッケージ内に収納された状態において、前記ストラップは前記液体不透過性シートのポリオレフィン重合体シートが配置された部分を通じて前記パッケージの外側に突出しており、前記マスク本体のみが化粧液を含んでいることを特徴とする化粧用マスクパッケージ。
【請求項５】
請求項１〜３のいずれか一項に記載の包装用物品の前記収納空間内に化粧液を含んだマスクを収納した化粧用マスクパッケージであって、
１）  前記マスクの両方のストラップが、前記液体不透過性シートのポリオレフィン重合体の繊維から成るシートが配置された部分を通じて前記液体不透過性シートの端縁から突出するように、２つの前記液体不透過性シートの間に前記マスクを載置し、
２）  前記端縁のゲート部分を除いて、前記液体不透過性シートの端縁を互いに接合し、
３）  前記ゲート部分を通じて前記収納空間内に化粧液を注入し、且つ
４）  前記化粧液を注入した後に前記ゲート部分を接合して密封することによって製造されたことを特徴とする化粧用マスクパッケージ。
【考案の詳細な説明】
【技術分野】
【０００１】
本考案は、化粧用マスク、特に化粧液を浸み込ませたマスクを包装するための包装用物品、およびこの包装用物品にマスクを包装した化粧用マスクパッケージに関する。
【背景技術】
【０００２】
近年、不織布から形成された化粧用マスクは一般的に使用されている。化粧用マスクには、包装前に化粧液を浸み込ませたウェットフォーム、および開封された後に化粧液を浸み込ませるドライフォームのタイプがあり、ドライフォームにおいては、使用者の顔にマスクを着ける直前に化粧品を浸み込ませる。
【０００３】
これまでに、２つの主要なカテゴリの不織布マスクが市場に提供されている。一方は従来のマスクであり、このマスクは顔に直接貼り付けられ、肌に対して機械的な作用を与えない。他方は伸縮自在の不織布マスクであり、このマスクは伸ばされて顔に張り付けられる。このマスクは肌に圧縮／引張の非常に限定された作用を与え、肌を移動させる。
【０００４】
弾性特性を備えた新規の不織布マスクは、現在では化粧用の手段として容易に入手可能である。これらの不織布は著しい伸びの比率を示し、引き伸ばされた後であっても、劣化することなく元の状態に復帰し得る。したがって、これらの不織布の弾性を利用して、マスクが肌に（伸び、圧縮、引張、移動等の）力を負荷している間の、マスクの素材に浸み込んだ化粧液の浸透および接触を改良することが検討されている。
【０００５】
そのようなマスクは、例えば特許文献１に開示されている。さらに、ストラップを備え、ストラップによって使用者の顔にマスクを固定するタイプも存在する。
【０００６】
これらのようなマスクは伸縮性を有する必要があり、耳の周囲および後頭部周辺において支持され、張力を保持しなければならない。このようなタイプの、化粧液を浸み込ませた弾性特性を備えたマスクは飛躍的な進歩であり、使用者に利点をもたらす。
【０００７】
化粧液を浸み込ませたマスクを製造する場合、通常は包装用物品内にマスクを収納し、次いで包装用物品内に化粧液を注入することによって製造される。包装用物品は化粧液の漏出を防止するために密封される。この状態において、マスクは全体が化粧液とともに包装用物品内に密封されて収納されている。したがって、マスク全体が化粧液と接している。
【０００８】
前述のような収納状態においては、マスクのストラップ部分、すなわち使用者の耳の周囲および後頭部周辺に接触する部分も化粧液に接している。したがって、図３に示したように、使用者がマスクを着用した場合、使用者の耳の周囲および後頭部周辺の髪にも化粧液が付着することになる。このことを通じて、使用者はマスクの使用を不快に感じるかもしれない。
【０００９】
また、前述のような収納状態においては、マスクのストラップ部分にも化粧液が浸透するため、本来であれば余分な量の化粧液が必要となる。このことは、コスト面において不利益をもたらす。
【００１０】
さらに、包装用物品内にマスク全体をコンパクトに収納するために、マスクは折り畳まれた状態で収納されている（特許文献２参照）。したがって、使用者がマスクを使用する際に、マスクを開かなければならない。マスクは化粧液を含んで濡れているため、折り畳まれたマスクを開くことは容易ではない。
【００１１】
この欠点を解消するために、マスク全体を開いたまま包装用物品に収納することが考えられるが、この場合マスクを収納したパッケージ全体が大きくなるため、パッケージの取扱いおよび携帯に不便である。さらに、包装用物品の大型化による包装用物品自身のコストの上昇、および必要となる化粧液の増加に伴うコストの上昇が考えられる。
【先行技術文献】
【特許文献】
【００１２】
【特許文献１】国際公開第２０１２／０８０３５６号パンフレット
【特許文献２】国際公開第２０１１／０６４９０１号パンフレット
【考案の概要】
【考案が解決しようとする課題】
【００１３】
したがって本考案の目的は、上述の欠点を解消するための、新規なマスクの包装用物品、およびそのような包装用物品によって包装された化粧用マスクパッケージを提供することである。本考案により、使用者がマスクを快適に使用することが可能となり、コスト面においても利益をもたらすことが可能となる。また、マスクが開かれたまま収納されているため、使用の際に使用者がマスクを開く手間が不必要となる。
【課題を解決するための手段】
【００１４】
本考案による包装用物品は、２つの液体不透過性シートが互いに重ねられて、且つ液体不透過性シートの重ねられた端縁の全周が接合されることによって、その内部に収納空間を含むように密封して形成されている。液体不透過性シートの少なくとも一方の、接合される側の面の少なくとも端縁は、ポリオレフィン重合体シートによって覆われており、ポリオレフィン重合体シート上にはポリオレフィン重合体の繊維から成るシートが重ねられている。
【００１５】
また、本考案による包装用物品においては、ポリオレフィン重合体シートおよびポリオレフィン重合体の繊維から成るシートは帯状とされ、パッケージの対向した個々の側部の端縁に配置されている。
【００１６】
さらに、本考案による包装用物品においては、ポリオレフィン重合体シートはポリオレフィン重合体の繊維から成る。
【００１７】
本考案による化粧用マスクパッケージは、前述のいずれかの包装用物品の前記収納空間内に化粧液を含んだマスクが収納されている。マスクはマスク本体と、使用時に使用者の耳にフックするためのストラップと、から成り、マスクがパッケージ内に収納された状態において、ストラップは液体不透過性シートのポリオレフィン重合体シートが配置された部分を通じてパッケージの外側に突出しており、マスク本体のみが化粧液を含んでいる。
【００１８】
本考案による化粧用マスクパッケージは、１）マスクの両方のストラップが、液体不透過性シートのポリオレフィン重合体の繊維から成るシートが配置された部分を通じて液体不透過性シートの端縁から突出するように、２つの液体不透過性シートの間にマスクを載置し、２）端縁のゲート部分を除いて、液体不透過性シートの端縁を互いに接合し、３）ゲート部分を通じて収納空間内に化粧液を注入し、且つ４）化粧液を注入した後にゲート部分を接合して密封することによって製造されている。
【図面の簡単な説明】
【００１９】
【図１】本考案の実施形態による収納用物品を示した図である。
【図２】本考案の実施形態による収納用物品内にマスクを収納した化粧用マスクパッケージを示した図である。
【図３】使用者がマスクを着用した状態を示した図である。
【考案を実施するための形態】
【００２０】
以下、本考案の実施形態について、図面を参照して詳細に説明する。図１は本考案の実施形態による包装用物品を示した図である。包装用物品１は２つの液体不透過性シートを重ね合わせ、重ね合わされた液体不透過性シートの端縁２、３、４、および５を接合することによって形成されている。これにより、包装用物品１はその内部に収納空間６を形成している。
【００２１】
液体不透過性シートは、例えばプラスチックフィルムのような素材から形成されている。本実施形態においては、包装用物品１は長方形とされているが、他の形状とすることも可能である。液体不透過性シートの接合は、例えば熱溶着、超音波溶接、または接着等によって実施され得る。
【００２２】
少なくとも１つの液体不透過性シートの貼り合わされる側の面は、ポリオレフィン重合体シートによって覆われている。本実施形態においては、ポリオレフィン重合体シートは接合される端縁上に帯状に配置されているが、接合される面全体がポリオレフィン重合体シートによって覆われていてもよい。また、ポリオレフィン重合体シートは両方の液体不透過性シートの貼り合わされる面を覆っていてもよい。端縁４および５に配置されたポリオレフィン重合体シートには、さらにポリオレフィン重合体の繊維から成るシートが重ねられている。もしくは、端縁４および５に配置されたポリオレフィン重合体シートはポリオレフィン重合体の繊維から形成されていてもよい。
【００２３】
ポリオレフィン重合体の繊維から成るシートは通常は不織布として形成されており、個々の繊維がウェブタイプの構造内において不規則に配置されている。すなわち、繊維が織られまたは編まれることなく形成されている。このようなポリオレフィン重合体の繊維は、例えば例えばポリエチレン（ＰＥ）、ポリプロピレン（ＰＰ）、ポリエチレンテレフタレート（ＰＥＴ）等から形成されている。
【００２４】
図２は、マスク１０が本考案の実施形態による包装用物品１に包装された状態を示した図である。マスク１０は弾性を備えた不織布から形成されている。マスクを形成する不織布は、例えばポリエチレン（ＰＥ）、ポリプロピレン（ＰＰ）、ポリエチレンテレフタレート（ＰＥＴ）等のポリオレフィン重合体の繊維、またはポリメチル・メタクリレート（ＰＭＭＡ）、ポリウレタン等のアクリル繊維から形成されることが可能である。
【００２５】
マスク１０はマスク本体１２と、マスク本体１２の両側部に形成されたストラップ１４と、を具備している。ストラップ１４は、マスクの使用時に使用者がストラップを使用者の耳に掛けてマスクを固定するために使用される。
【００２６】
マスク１０のマスク本体１２は、開かれた状態で化粧液とともに収納空間６内に収納されており、したがって、マスク本体１２は化粧液を含んでいる。一方で、ストラップ１４はポリオレフィン重合体の繊維から成るシートが配置された端縁４および５を通じて包装用物品１の外側に突出しており、化粧液を含んでいない状態となっている。
【００２７】
マスク１０の化粧液を含んだマスク本体１２が包装用物品１に包装された状態において、２つの液体不透過性シートの端縁２、３、４、および５は互いに接合されており、化粧液が包装用物品１から漏洩しないように密封されている。端縁の接合は、例えば熱溶着、超音波溶接、または接着等によって行われる。
【００２８】
以下に、本考案による化粧用マスクパッケージの製造方法について説明する。この製造は好適に不活性ガス雰囲気中、もしくは真空中において実行されるか、または大気中において実行される。乾燥状態のマスク１０のマスク本体１２のみを挟むように、２つの液体不透過性シートを配置する。この状態において、液体不透過性シートの接合された面に配置されたポリオレフィン重合体の繊維から成るシートは、ストラップ１４に接触するように配置されており、マスク本体１２は開かれた状態となっている。
【００２９】
次に、一方の端縁２が全長にわたって接合される。この部分の接合は従来の接合と同様であり、熱溶着、超音波溶接、または接着等によって行われる。このとき、他方の端縁３は接合されず、後述の化粧液の注入のために開放された状態にある。
【００３０】
次に、端縁４および５が全長にわたって接合される。この部分の接合も熱溶着、超音波溶接、または接着等によって行われる。これによって、１つの端縁３のみが開放された、収納空間６を備えた袋状の包装用物品１が形成される。端縁４および５の接合が従来の接合と異なっている点は、ポリオレフィン重合体の繊維から成るシートが不織布から形成されたマスクを介して接合されることである。
【００３１】
本実施形態においては、端縁２、４、および５が接合された状態であるが、端縁２が開放されたままとされ、端縁３が全長にわたって接合されてもよい。もしくは、端縁２または３のいずれか一方が全長にわたって接合され、他方の端縁は化粧液の注入のためのゲート部分（図示略）のみを除いて接合されてもよい。
【００３２】
次に、開放された状態にある端縁３を通じて、化粧液が収納空間６内に注入される。収納空間６内には乾燥状態のマスク本体１２がすでに収納されているので、注入された化粧液はマスク本体１２に浸透する。
【００３３】
最後に、開放された状態にある端縁３が全長にわたって接合される。もしくは、ゲート部分が設けられている場合には、このゲート部分が接合される。これによって、マスク本体１２が収納された収納空間６は密封されて、外部環境から遮断される。
【００３４】
本考案により、マスクのストラップ部分が包装用物品の外側に突出して包装されるため、ストラップ部分は乾燥状態となる。したがって、図３に示したように、使用者がマスクを着用する場合でも、使用者の耳の周囲および後頭部周辺の髪が化粧液で濡れることを回避することが可能である。さらに、マスクが開かれた状態において包装されているので、開封後に濡れたマスクを開く手間が不必要となる。
【符号の説明】
【００３５】
１  ・・・包装用物品
２、３、４、５  ・・・端縁
６  ・・・収納空間
１０  ・・・マスク
１２  ・・・マスク本体
１４  ・・・ストラップ
【図１】
0003191378.tif 000003
【図２】
0003191378.tif 000004
【図３】
0003191378.tif 000005